(57)【要約】【課題】簡単で、低コストのシステムでもって、利用管理情報を蓄積できる保管庫を具備する電子錠を提供する。【解決手段】錠機構３付きの電子錠本体１と、電子錠本体１を操作するリモコン装置２と、を備え、リモコン装置２には、送信手段４と、錠機構３を解錠する事由についての情報を入力する入力手段５と、を設ける。また、電子錠本体１には、受信部６と、前記事由についての情報を記憶するメモリである解錠事由情報記憶部９と、前記メモリの内容を読み出して外部へ出力する制御手段８と、を設ける。【選択図】    図１
2004183457.tif 000002
【特許請求の範囲】
【請求項１】
錠機構付きの電子錠本体と、前記電子錠本体を操作するリモコン装置と、を備え、
前記リモコン装置には、送信手段と、前記錠機構を解錠する事由についての情報を入力する入力手段と、を設け、
前記電子錠本体には、受信手段と、前記事由についての情報を記憶するメモリと、前記メモリの内容を読み出して外部へ出力する制御手段と、
を設けたことを特徴とする保管庫を具備する電子錠。
【請求項２】
前記電子錠本体は、シャックルと保管庫とを有し、前記錠機構は、前記保管庫の錠機構である請求項１記載の保管庫を具備する電子錠。
【請求項３】
前記電子錠本体は、空き不動産物件に設置されており、前記事由についての情報は、その空き不動産物件に顧客を案内すること意味する情報を含む、請求項１記載または請求項２記載の保管庫を具備する電子錠。
【発明の詳細な説明】
【０００１】
【発明の属する技術分野】
本発明は、例えば空き不動産物件のドアの鍵などを収納する保管庫を具備し、担当者が空き不動産物件についての営業活動の一環として、その保管庫の解錠、施錠を行なうことがある保管庫を具備する電子錠に関する。
【０００２】
【従来の技術】
電気錠システムないし電気錠管理システムにおいて、利用管理情報を管理する方式として、特開２００２−８９０９９号公報に開示されているものが知られている。これは、通信による制御のもと動作する電気錠を備えた電気錠装置と、利用者端末（典型的には携帯電話機）から利用する電気錠の施錠依頼と認証情報を受信し、これに応じて前記電気錠装置に対して当該電気錠の施錠命令を送信する施錠制御手段と、前記認証情報を含む利用管理情報を利用管理情報記憶部に登録する登録手段と、を設けたことを特徴とする電気錠管理システムである。
この従来技術の問題点は、システムが大掛かりになり、システムの設置と維持に、それ相応の費用が掛かることである。また、携帯電話機などの利用端末から電気錠（例、ロッカー施設）にアクセスするたびに、ロッカー施設と鍵管理センタ１０は、有線または無線で通信して、利用管理情報を通信しなければなない。その度に、所定の通信料が発生するので、この管理方式は、有料施設であり、電源の心配の少ないロッカー施設には向いているかもしれないけれども、空き不動産物件の鍵を保管する電子錠（本体）には、向いていない。各所に設置されている個々の電子錠本体において利用管理情報通信のたびに通信料が発生するのは、問題であるし、その電子錠本体は、電池で駆動させることが一般的であるからである。
【０００３】
【特許文献１】
特開２００２−８９０９９号公報
【０００４】
【発明が解決しようとする課題】
本発明に係る保管庫を具備する電子錠は、上記問題点に鑑み成されたものであり、次の課題を解決することを目的とする。
簡単で、低コストのシステムでもって、利用管理情報を蓄積できる保管庫を具備する電子錠を提供する。
【０００５】
【課題を解決するための手段】
上記課題を解決するための本発明の第１発明は、請求項１に記載されたとおりの保管庫を具備する電子錠であり、次のようなものである。
錠機構付きの電子錠本体と、前記電子錠本体を操作するリモコン装置と、を備え、前記リモコン装置には、送信手段と、前記錠機構を解錠する事由についての情報を入力する入力手段と、を設け、前記電子錠本体には、受信手段と、前記事由についての情報を記憶するメモリと、前記メモリの内容を読み出して外部へ出力する制御手段と、を設けたものである。
【０００６】
上記課題を解決するための本発明の第２発明は、請求項２に記載されたとおりの保管庫を具備する電子錠であり、次のようなものである。
請求項１記載の保管庫を具備する電子錠において、前記電子錠本体は、シャックルと保管庫とを有し、前記錠機構は、前記保管庫の錠機構であるものである。
【０００７】
上記課題を解決するための本発明の第３発明は、請求項３に記載されたとおりの移動端末機の暗証情報入力方式であり、次のようなものである。
請求項１記載または請求項２記載の保管庫を具備する電子錠において、前記電子錠本体は、空き不動産物件に設置されており、前記事由についての情報は、その空き不動産物件に顧客を案内すること意味する情報を含むものである。
【０００８】
【発明の実施の形態】
図１は、本発明に係わる保管庫を具備する電子錠の実施の一形態を示すブロック図である。
電子錠は、リモコン装置２と電子錠本体１をシステムの構成要件として備えている。
電子錠本体１は、例えばシャックル１１を有し、マンションの空き部屋などの空き不動産物件のドアノブ（図示せず）などに取り付けておく。錠機構３付きの物品保管ケース１０には、その部屋のドアの錠の鍵（図示せず）を入れておくことができる。
電子錠本体１は、リモコン装置２から電子錠本体１に送信する解錠指令によって解錠可能な錠機構３を備えている。ここでは、錠機構３は、上述したように、物品保管ケース１０の錠機構である。なお、錠機構３は、シャックル１１にも設けてもよい。
リモコン装置２は、有線または無線の送信手段４を備えている。図１では、送信手段４は、無線信号の送信手段である。送信手段４は、ＣＰＵ１２の制御のもと、所定の解錠指令を送信する。また、リモコン装置２は、入力手段５として、例えばテンキー部を具備する。リモコン装置２の所持者は、電子錠本体１（の錠機構３）を解錠させるとき、解錠指令とともに、解錠事由情報を送信する。具体的には、入力手段５でもって、解錠の理由ごとに、所定のコードを打ち込む。例えば、顧客を案内するために電子錠本体を解錠するときは＃１２、部屋の掃除をするときは＃１３、電子錠本体の定期点検のときは＃１４、などを入力手段５にて打ち込む。
リモコン装置２のＣＰＵ１２は、入力された解錠の理由ないし事由を示すコード（解錠事由情報）と、解錠指令（解錠を指令するコード）と、を送信手段４を介して、電子錠本体１の受信部６へと送信する。
受信部６は、それらの受信情報を制御手段８へ出力し、制御手段８は、その情報の中味を調べて、解錠事由情報については、解錠事由情報記憶部９（例、フラッシュメモリ）に書き込む。
また、制御手段８は、受信部６で受信した解錠指令が正当なものであると認めると、物品保管ケース１０の錠機構３を解錠する。
電子錠本体１の出力部７は、解錠事由情報記憶部９に記録された錠機構３を解錠する事由についてのデータ、例えば上述したように、＃１２、＃１３または＃１４などのコードを、制御手段８によって電子錠本体１の外部の機器（例、図示しないがパーソナルコンピュータなどへ）出力するためのポートである。
【０００９】
図２は、本発明に係わる保管庫を具備する電子錠の別の実施の一形態を示すブロック図である。
電子錠のリモコン装置は、携帯電話機２ａのような移動通信端末とその携帯電話機２ａの外部通信端子（図示せず）に接続する送信装置４ａで構成してもよい。また、送信装置４ａは、携帯電話機２ａの内部に搭載してもよい。
携帯電話機２ａと送信装置４ａとから成るリモコン装置にて、電子錠本体１に解錠指令を送信するときは、携帯電話機２ａの入力手段５にて、解錠の事由を示すコードを打ち込む。すると、携帯電話機２ａのＣＰＵ１２は、その解錠の事由を示すコードを送信装置４ａの制御部１３へ伝送する。送信装置４ａの制御部１３は、解錠指令と解錠の事由を示すコードとを通信手段４ｂを介して電子錠本体１の送信受信部６ａへ送信する。
送受信部６ａは、それらの受信情報を制御手段８へ出力し、制御手段８は、その情報の中味を調べて、解錠事由情報については、解錠事由情報記憶部９（例、フラッシュメモリ）に書き込む。
また、制御手段８は、送受信部６ａで受信した解錠指令が正当なものであると認めると、物品保管ケース１０の錠機構３を解錠する。
電子錠本体１の送受信部６ａは、解錠事由情報記憶部９に記録された錠機構３を解錠する事由についてのデータ、例えば上述したように、＃１２、＃１３または＃１４などのコードを、制御手段８によって電子錠本体１の外部の機器（例、送信装置４ａ）へ出力するためのポートとして利用してもよい。
【００１０】
【発明の効果】
本発明に係る保管庫を具備する電子錠は、以上説明してきたような構成であるので、以下に記載する効果を奏する。
物品保管庫付きの電子錠において、リモコン装置に解錠事由情報を入力するための入力手段を設けるとともに、設置にも維持にもそれ相応のコストが掛かる管理センタのような大掛かりな施設ではなく、各所に設置される電子錠本体に、管理情報すなわち解錠事由情報を記憶させる構成とした。また、電子錠本体を、その記憶した解錠事由情報を外部に出力する手段を設けた
従って、本発明によれば、簡単で、低コストのシステムでもって、利用管理情報を蓄積できる保管庫を具備する電子錠を提供することが可能である。
また、電子錠本体を取り付けた空き不動産物件が成約したときなどに、該電子錠本体を回収して該電子錠本体から解錠事由を読み出すことによって、該電子錠本体が解錠された回数のうち、その電子錠本体が設置された空き不動産物件に担当者が顧客を案内した回数、すなわち営業活動の頻度も分かるので、電子錠システムの管理者にとって、営業管理上、有用な情報が得られる保管庫を具備する電子錠を提供することも可能である。
【図面の簡単な説明】
【図１】本発明に係わる保管庫を具備する電子錠の実施の一形態を示すブロック図である。
【図２】本発明に係わる保管庫を具備する電子錠の別の実施の一形態を示すブロック図である。
【符号の説明】
１  電子錠本体
２  リモコン装置
２ａ  携帯電話機
３  錠機構
４  送信手段
４ａ  送信装置
４ｂ  通信手段
５  入力手段
６  受信部
６ａ  送受信部
７  出力部
８  制御手段
９  解錠事由情報記憶部
１０  物品保管ケース
１１  シャックル
１２  ＣＰＵ
１３  制御部
【図１】
2004183457.tif 000003
【図２】
2004183457.tif 000004
【手続補正書】
【提出日】平成14年12月26日(2002.12.26)
【手続補正１】
【補正対象書類名】明細書
【補正対象項目名】０００７
【補正方法】変更
【補正の内容】
【０００７】
上記課題を解決するための本発明の第３発明は、請求項３に記載されたとおりの保管庫を具備する電子錠であり、次のようなものである。
請求項１記載または請求項２記載の保管庫を具備する電子錠において、前記電子錠本体は、空き不動産物件に設置されており、前記事由についての情報は、その空き不動産物件に顧客を案内すること意味する情報を含むものである。